(57)【要約】【課題】接着、乾燥などの煩雑な工程を要することなく軟質部材を容易に固定できると共に、摺洗能力に優れた摺洗具を提供する。【解決手段】本発明に係る摺洗具１は、第一植設基片１１の外周面の一部に複数の繊維束１２が植設されてなる第一摺洗部材２と、第二植設基片１３の外周面の一部に複数の繊維束１４が植設されてなる第二摺洗部材３と、第一植設基片１１と第二植設基片１３とを連結する連結手段４と、連結手段４によって互いに連結された第一摺洗部材２と第二摺洗部材３の間に配置された、軟質部材からなる第三摺洗部材５とを備える。【選択図】図３
2011143044.tif 000002
【特許請求の範囲】
【請求項１】
第一植設基片の外周面の一部に複数の繊維束が植設されてなる第一摺洗部材と、
第二植設基片の外周面の一部に複数の繊維束が植設されてなる第二摺洗部材と、
前記第一植設基片と前記第二植設基片とを連結する連結手段と、
前記連結手段によって互いに連結された第一摺洗部材と前記第二摺洗部材の間に配置された、軟質部材からなる第三摺洗部材とを備えることを特徴とする摺洗具。
【請求項２】
前記連結手段は、
前記第一植設基片に設けられた第一連結部と、
前記第二植設基片に設けられ、前記第一連結部と連結可能な第二連結部とを備え、
前記第一連結部と前記第二連結部とが連結された連結固定部の外周が中間部材で被覆されることによって前記第一植設基片と前記第二植設基片との連結固定状態が維持されている請求項１に記載の摺洗具。
【請求項３】
前記連結手段は、前記第一植設基片に設けられた一対の第一係合突起と、前記第二植設基片に設けられた一対の第二係合突起と、両端が開口した貫通孔が設けられた中間部材とを備え、
前記第一係合突起及び前記第二係合突起のうちのいずれか一方の一対の係合突起の先端部にそれぞれ内方に向けて内方突出係止片が突設され、他方の一対の係合突起の先端部にそれぞれ外方に向けて外方突出係止片が突設され、
前記内方突出係止片が設けられた係合突起の間に、前記外方突出係止片が設けられた係合突起が配置され、前記内方突出係止片と前記外方突出係止片とが互いに係合した状態の連結固定部の外周が前記中間部材で被覆されることによって前記第一植設基片と前記第二植設基片との連結固定状態が維持されている請求項１に記載の摺洗具。
【請求項４】
前記第三摺洗部材は、前記中間部材の外周を被覆する状態に配置されている請求項２または３に記載の摺洗具。
【請求項５】
前記中間部材に把柄の一端が取り付けられている請求項２〜４のいずれか１項に記載の摺洗具。
【請求項６】
前記第一植設基片は熱可塑性樹脂成形体からなり、前記第二植設基片は熱可塑性樹脂成形体からなり、
前記連結手段は、少なくとも両端部の外周面に凹凸部が設けられた棒状体を備え、
前記棒状体の加熱された一端部が前記第一植設基片に刺入されることによって該一端部と前記第一植設基片とが接合され、前記棒状体の加熱された他端部が前記第二植設基片に刺入されることによって該他端部と前記第二植設基片とが接合されて、前記第一植設基片と前記第二植設基片とが連結固定されている請求項１に記載の摺洗具。
【請求項７】
前記連結手段は、前記第一植設基片に設けられた第一突出部と、前記第二植設基片に設けられた第二突出部と、前記第一突出部および前記第二突出部を被覆し得る管状体とを備え、
前記第一突出部の外周面に第一係合凹部が設けられ、前記第二突出部の外周面に第二係合凹部が設けられ、
前記第一植設基片の第一突出部の先端と前記第二植設基片の第二突出部の先端とが突き合わせ状態に配置され、該相互突き合わせ状態の両突出部の外周が前記管状体で被覆され、該管状体の一端の少なくとも一部が前記第一突出部の第一係合凹部内に陥入され、前記管状体の他端の少なくとも一部が前記第二突出部の第二係合凹部内に陥入されて、前記第一植設基片と前記第二植設基片とが連結固定されている請求項１に記載の摺洗具。
【請求項８】
前記第一植設基片及び前記第二植設基片の断面形状が、略真円形状である請求項１〜７のいずれか１項に記載の摺洗具。
【請求項９】
前記第一摺洗部材及び前記第二摺洗部材の外形形状が、略直方体形状である請求項８に記載の摺洗具。
【請求項１０】
前記第一植設基片及び前記第二植設基片の断面形状が、略楕円形状である請求項１〜７のいずれか１項に記載の摺洗具。
【請求項１１】
前記軟質部材として、保水性の軟質部材が用いられている請求項１〜１０のいずれか１項に記載の摺洗具。
【請求項１２】
前記保水性の軟質部材は、ゴムを含浸させたスポンジ、スポンジ又は布材からなる請求項１１に記載の摺洗具。
【請求項１３】
前記軟質部材として、非保水性の軟質部材が用いられている請求項１〜１０のいずれか１項に記載の摺洗具。
【請求項１４】
前記非保水性の軟質部材は、金属カールたわしからなる請求項１３に記載の摺洗具。
【発明の詳細な説明】
【技術分野】
【０００１】
本発明は、鍋、瓶、コップ、ポット、水さし等の各種容器の内面等を摺洗するのに好適に用いられる摺洗具に関する。
【背景技術】
【０００２】
従来、この種の摺洗具としては、基板の片面に複数の繊維束からなるブラシ部材と共にスポンジを設けた構成のものが公知である（特許文献１参照）。このような構成を採用すると、スポンジにより摺洗時の泡立ちを良くすることができると共に泡持ちも良くなるので、摺洗能力に優れたものとなる。
【先行技術文献】
【特許文献】
【０００３】
【特許文献１】登録実用新案第３０３０８１５号公報
【発明の概要】
【発明が解決しようとする課題】
【０００４】
しかしながら、上記特許文献１に記載の摺洗具では、スポンジを基板の片面に接着剤で固定しているので、使用を重ねているうちにスポンジがこの接着面から剥がれ易く、耐久性に劣るという問題があった。また、接着剤を用いた接合を行うものであるから、時間を要する乾燥工程が必要となり、生産性が悪いという問題もあった。
【０００５】
本発明は、かかる技術的背景に鑑みてなされたものであって、接着、乾燥などの煩雑な工程を要することなく軟質部材を容易に固定できると共に、摺洗能力に優れた摺洗具を提供することを目的とする。
【課題を解決するための手段】
【０００６】
前記目的を達成するために、本発明は以下の手段を提供する。
【０００７】
［１］第一植設基片の外周面の一部に複数の繊維束が植設されてなる第一摺洗部材と、
第二植設基片の外周面の一部に複数の繊維束が植設されてなる第二摺洗部材と、
前記第一植設基片と前記第二植設基片とを連結する連結手段と、
前記連結手段によって互いに連結された第一摺洗部材と前記第二摺洗部材の間に配置された、軟質部材からなる第三摺洗部材とを備えることを特徴とする摺洗具。
【０００８】
［２］前記連結手段は、
前記第一植設基片に設けられた第一連結部と、
前記第二植設基片に設けられ、前記第一連結部と連結可能な第二連結部とを備え、
前記第一連結部と前記第二連結部とが連結された連結固定部の外周が中間部材で被覆されることによって前記第一植設基片と前記第二植設基片との連結固定状態が維持されている前項１に記載の摺洗具。
【０００９】
［３］前記連結手段は、前記第一植設基片に設けられた一対の第一係合突起と、前記第二植設基片に設けられた一対の第二係合突起と、両端が開口した貫通孔が設けられた中間部材とを備え、
前記第一係合突起及び前記第二係合突起のうちのいずれか一方の一対の係合突起の先端部にそれぞれ内方に向けて内方突出係止片が突設され、他方の一対の係合突起の先端部にそれぞれ外方に向けて外方突出係止片が突設され、
前記内方突出係止片が設けられた係合突起の間に、前記外方突出係止片が設けられた係合突起が配置され、前記内方突出係止片と前記外方突出係止片とが互いに係合した状態の連結固定部の外周が前記中間部材で被覆されることによって前記第一植設基片と前記第二植設基片との連結固定状態が維持されている前項１に記載の摺洗具。
【００１０】
［４］前記第三摺洗部材は、前記中間部材の外周を被覆する状態に配置されている前項２または３に記載の摺洗具。
【００１１】
［５］前記中間部材に把柄の一端が取り付けられている前項２〜４のいずれか１項に記載の摺洗具。
【００１２】
［６］前記第一植設基片は熱可塑性樹脂成形体からなり、前記第二植設基片は熱可塑性樹脂成形体からなり、
前記連結手段は、少なくとも両端部の外周面に凹凸部が設けられた棒状体を備え、
前記棒状体の加熱された一端部が前記第一植設基片に刺入されることによって該一端部と前記第一植設基片とが接合され、前記棒状体の加熱された他端部が前記第二植設基片に刺入されることによって該他端部と前記第二植設基片とが接合されて、前記第一植設基片と前記第二植設基片とが連結固定されている前項１に記載の摺洗具。
【００１３】
［７］前記連結手段は、前記第一植設基片に設けられた第一突出部と、前記第二植設基片に設けられた第二突出部と、前記第一突出部および前記第二突出部を被覆し得る管状体とを備え、
前記第一突出部の外周面に第一係合凹部が設けられ、前記第二突出部の外周面に第二係合凹部が設けられ、
前記第一植設基片の第一突出部の先端と前記第二植設基片の第二突出部の先端とが突き合わせ状態に配置され、該相互突き合わせ状態の両突出部の外周が前記管状体で被覆され、該管状体の一端の少なくとも一部が前記第一突出部の第一係合凹部内に陥入され、前記管状体の他端の少なくとも一部が前記第二突出部の第二係合凹部内に陥入されて、前記第一植設基片と前記第二植設基片とが連結固定されている請求項１に記載の摺洗具。
【００１４】
［８］前記第一植設基片及び前記第二植設基片の断面形状が、略真円形状である前項１〜７のいずれか１項に記載の摺洗具。
【００１５】
［９］前記第一摺洗部材及び前記第二摺洗部材の外形形状が、略直方体形状である前項８に記載の摺洗具。
【００１６】
［１０］前記第一植設基片及び前記第二植設基片の断面形状が、略楕円形状である前項１〜７のいずれか１項に記載の摺洗具。
【００１７】
［１１］前記軟質部材として、保水性の軟質部材が用いられている前項１〜１０のいずれか１項に記載の摺洗具。
【００１８】
［１２］前記保水性の軟質部材は、ゴムを含浸させたスポンジ、スポンジ又は布材からなる前項１１に記載の摺洗具。
【００１９】
［１３］前記軟質部材として、非保水性の軟質部材が用いられている前項１〜１０のいずれか１項に記載の摺洗具。
【００２０】
［１４］前記非保水性の軟質部材は、金属カールたわしからなる前項１３に記載の摺洗具。
【発明の効果】
【００２１】
［１］の発明では、連結手段によって互いに連結された第一摺洗部材と第二摺洗部材の間に軟質部材（第三摺洗部材）が配置された構成であるから、軟質部材を安定して固定できる。また、軟質部材の固定に際し、接着、乾燥などの煩雑な工程を要しないから、固定操作が非常に容易である。また、軟質部材（第三摺洗部材）を備えているから、摺洗時の泡立ち及び泡持ちが良い。また、ブラシ部材（第一摺洗部材及び第二摺洗部材）を備えているから、軟質部材では摺洗し難い汚れも摺洗除去することができる。
【００２２】
［２］の発明では、第一連結部と第二連結部とが連結された連結固定部の外周が中間部材で被覆されることによって第一植設基片と第二植設基片との連結固定状態が（解除不能に）維持された構成であるから、第一摺洗部材と第二摺洗部材とが強固に連結固定されたものとなる。
【００２３】
［３］の発明では、内方突出係止片が設けられた係合突起の間に、外方突出係止片が設けられた係合突起が配置され、内方突出係止片に外方突出係止片が互いに係合した状態の連結固定部の外周が中間部材で被覆されることによって第一植設基片と第二植設基片との連結固定状態が（解除不能に）維持された構成であるから、第一摺洗部材と第二摺洗部材とがより強固に連結固定されたものとなる。
【００２４】
［４］の発明では、第三摺洗部材は、中間部材の外周を被覆する状態に配置されているから、連結固定部を被覆した中間部材が外観されないものとなり製品外観（デザイン等）がより良好なものになると共に、第三摺洗部材（軟質部材）をより安定状態に取付固定できるし、製造も容易化される。
【００２５】
［５］の発明では、中間部材に把柄の一端が取り付けられているから、例えば、台所洗浄用、トイレ洗浄用として好適なものとなる。
【００２６】
［６］の発明では、棒状体の加熱された一端部が熱可塑性樹脂製の第一植設基片に刺入されて該一端部と第一植設基片とが接合され、棒状体の加熱された他端部が熱可塑性樹脂製の第二植設基片に刺入されて該他端部と第二植設基片とが接合されているから、第一植設基片と第二植設基片とが強固に連結固定されたものとなる（第一摺洗部材と第二摺洗部材とが強固に連結固定されたものとなる）。
【００２７】
［７］の発明では、第一植設基片の第一突出部の先端と第二植設基片の第二突出部の先端とが突き合わせ状態に配置され、該相互突き合わせ状態の両突出部の外周が管状体で被覆され、該管状体の一端の少なくとも一部が第一突出部の第一係合凹部内に陥入され、管状体の他端の少なくとも一部が第二突出部の第二係合凹部内に陥入されているから、第一植設基片と第二植設基片とが強固に連結固定されたものとなる（第一摺洗部材と第二摺洗部材とが強固に連結固定されたものとなる）。
【００２８】
［８］の発明では、第一植設基片及び第二植設基片の断面形状が、略真円形状である構成であり、植設基片の断面形状が略楕円形状である場合には植毛機として５軸タイプのものが必要となるのに対し、植設基片の断面形状が略真円形状である場合には植毛機として３軸タイプのものを使用することができて製造が容易である。また、例えばブラシ毛をカットして第一摺洗部材及び第二摺洗部材を略直方体形状に構成する場合において、断面形状が略楕円形状である植設基片の場合にはカットの際に該植設基片の向きを管理しないとブラシ毛の短すぎる部分を生じてしまうが、断面形状が略真円形状である植設基片の場合にはカットの際の植設基片の向きの管理は不要となる（管理しなくともブラシ毛の短すぎる部分はできない）という利点がある。
【００２９】
［９］の発明では、第一摺洗部材及び第二摺洗部材の外形形状が、略直方体形状であるから、コーナー等の隅部を十分に摺洗することができる。また、植設基片の断面形状が略真円形状であるから、カットの際の植設基片の向きの管理をしなくてもブラシ毛の長さを略一定にすることができるので、製造も容易である。
【００３０】
［１０］の発明では、第一植設基片及び第二植設基片の断面形状が、略楕円形状である構成であるから、様々な形状の被摺洗物に対して一様に十分な摺洗性能を確保することができる。
【００３１】
［１１］の発明では、軟質部材として、保水性の軟質部材が用いられているから、摺洗時の泡立ち及び泡持ちが非常に良くて摺洗能力をより高めることができる。
【００３２】
［１２］の発明では、保水性軟質部材が、ゴムを含浸させたスポンジ、スポンジ又は布材からなる構成が採用されているから、摺洗時の泡立ち及び泡持ちがより一層良くなる。
【００３３】
［１３］の発明では、軟質部材として非保水性の部材が用いられているから、強固に付着した汚れでも掻き落とすことができる。
【００３４】
［１４］の発明では、非保水性の軟質部材が、金属カールたわしからなる構成が採用されているから、強固に付着した汚れでも十分に掻き落とすことができる。
【図面の簡単な説明】
【００３５】
【図１】本発明に係る摺洗具の第１実施形態を示す図であって、（イ）は正面図、（ロ）は左側面図、（ハ）は下面図である。
【図２】図１の摺洗具を各構成部材に分離した状態で示す斜視図である。
【図３】図１（イ）におけるＡ−Ａ線の断面図である。
【図４】図１で用いた第一植設基片（植設孔を形成する前の状態のもの）を示す図であって、（イ）は正面図、（ロ）は右側面図、（ハ）は上面図である。
【図５】図１で用いた第二植設基片（植設孔を形成する前の状態のもの）を示す図であって、（イ）は正面図、（ロ）は左側面図、（ハ）は上面図である。
【図６】図１で用いた中間部材を示す図であって、（イ）は左側面図、（ロ）は右側面図、（ハ）は（イ）におけるＢ−Ｂ線の断面図である。
【図７】本発明に係る摺洗具の第２実施形態を示す図であって、（イ）は縦断面図、（ロ）製作途中状態を示す斜視図である。
【図８】本発明に係る摺洗具の第３実施形態を示す縦断面図である。
【図９】本発明に係る摺洗具の第４実施形態を示す断面図である。
【図１０】本発明に係る摺洗具の第５実施形態を示す断面図である。
【図１１】本発明に係る摺洗具の第６実施形態を示す断面図である。
【図１２】本発明に係る摺洗具の第７実施形態を示す断面図である。
【発明を実施するための形態】
【００３６】
本発明に係る摺洗具１の一実施形態（第１実施形態）を図１〜３に示す。この摺洗具１は、第一摺洗部材２と、第二摺洗部材３と、連結手段４と、第三摺洗部材５とを備えてなる。
【００３７】
前記第一摺洗部材２は、第一植設基片１１の外周面の一部に複数の繊維束１２が植設されてなる。前記第一植設基片１１は、略半球形状の合成樹脂成形体からなり、該合成樹脂成形体の曲面の外周面に複数の植設孔１５が形成され、これら植設孔１５に前記複数の繊維束１２が植設されている（図３参照）。前記第一植設基片１１の断面形状（第三摺洗部材５と対向する側面の側面視での外形形状）は略楕円形状である（図４（ロ）参照）。
【００３８】
前記第二摺洗部材３は、第二植設基片１３の外周面の一部に複数の繊維束１４が植設されてなる。前記第二植設基片１３は、略半球形状の合成樹脂成形体からなり、該合成樹脂成形体の曲面の外周面に複数の植設孔１５が形成され、これら植設孔１５に前記複数の繊維束１４が植設されている（図３参照）。前記第二植設基片１３の断面形状（第三摺洗部材５と対向する側面の側面視での外形形状）は略楕円形状である（図５（ロ）参照）。
【００３９】
前記連結手段４は、前記第一植設基片１１と前記第二植設基片１３とを連結するための手段である。前記連結手段４は、前記第一植設基片１１に設けられた第一連結部２１（図２、４参照）と、前記第二植設基片１３に設けられた第二連結部２５（図２、５参照）と、両端が開口した貫通孔７が設けられた中間部材６（図２、６参照）とを備える。
【００４０】
前記第一連結部２１は、前記第一植設基片１１に設けられた一対の第一係合突起２２、２３で構成されている。前記第一係合突起２２、２３の先端部にそれぞれ内方に向けて内方突出係止片２２ａ、２３ａが突設されている。また、前記第一係合突起２２、２３の先端部にそれぞれ外方に向けて外方突出係止片２４、２４が突設されている（図４参照）。
【００４１】
前記第二連結部２５は、前記第二植設基片１３に設けられた一対の第二係合突起２６、２７で構成されている。前記第二係合突起２６、２７の先端部にそれぞれ外方に向けて外方突出係止片２６ａ、２７ａが突設されている（図５参照）。
【００４２】
前記中間部材６は、両端が開口した貫通孔７が設けられた短筒状の合成樹脂成形体からなる。前記貫通孔７の内周面には孔の軸線方向に沿って一対の誘導溝３１、３３が互いに対向して設けられている（図６参照）。前記一方の誘導溝３１の長さ方向（軸線方向）の中央部に係止用凸部３２が形成され、他方の誘導溝３３の長さ方向（軸線方向）の中央部に係止用凸部３４が形成されている（図６参照）。
【００４３】
前記第三摺洗部材５は、略円板状の軟質部材からなる（図２参照）。前記第三摺洗部材５の中央部に厚さ方向に貫通する挿通孔８が形成されている。
【００４４】
しかして、図３に示すように、前記第一摺洗部材２の第一植設基片１１の一対の第一係合突起２２、２３の間に、前記第二摺洗部材３の第二植設基片１３の一対の第二係合突起２６、２７が配置され、前記第一係合突起２２の内方突出係止片２２ａと前記第二係合突起２６の外方突出係止片２６ａとが係合すると共に、前記第一係合突起２３の内方突出係止片２３ａと前記第二係合突起２７の外方突出係止片２７ａとが係合し、このように相互に係合された第一係合突起２２、２３及び第二係合突起２６、２７で構成される連結固定部２９の外周が前記中間部材６で被覆されることによって、前記第一植設基片１１と前記第二植設基片１３とが強固に連結固定されている。前記中間部材６の貫通孔７内に配置された一対の第一係合突起２２、２３の外方突出係止片２４、２４が、それぞれ前記中間部材６の係止用凸部３２、３４に係止されて前記誘導溝３１、３３内に嵌まり込むことによって（図３参照）、前記第一係合突起２２、２３と第二係合突起２６、２７とが解除不能に係合されており、これにより第一植設基片１１と第二植設基片１３とが強固に連結固定されている、即ち第一摺洗部材２と第二摺洗部材３とが強固に連結固定されている。
【００４５】
前記中間部材６の外周は前記第三摺洗部材５により被覆されている。即ち、前記第三摺洗部材５の挿通孔８内に前記中間部材６が挿通されている（図２、３参照）。前記第三摺洗部材５は、前記連結手段４によって互いに連結された第一摺洗部材２と第二摺洗部材３の間に配置されている、即ち第一摺洗部材２の繊維束１２と第二摺洗部材３の繊維束１４の間に配置されている（図１、３参照）。
【００４６】
上記摺洗具１は、例えば次のようにして製作される。図２に示すように、第一摺洗部材２と第二摺洗部材３とを互いの連結部２１、２５が対向する状態に配置し、これら両摺洗部材２、３の間に中間部材６及び第三摺洗部材５を配置せしめる。前記第一摺洗部材２の第一連結部２１（一対の第一係合突起２２、２３）を前記中間部材６の貫通孔７に挿通せしめて、前記中間部材６の貫通孔７内に配置された一対の第一係合突起２２、２３の外方突出係止片２４、２４が、それぞれ前記中間部材６の係止用凸部３２、３４に係止されて前記誘導溝３１、３３内に嵌まり込んだ状態にする。次いで、前記中間部材６を前記第三摺洗部材５の挿通孔８内に挿通して、前記中間部材６の外周を前記第三摺洗部材５で被覆する。次に、前記第二摺洗部材３の第二連結部２５（一対の第二係合突起２６、２７）を前記中間部材６の貫通孔７内に挿通せしめて、前記第一係合突起２２の内方突出係止片２２ａと前記第二係合突起２６の外方突出係止片２６ａとが係合すると共に、前記第一係合突起２３の内方突出係止片２３ａと前記第二係合突起２７の外方突出係止片２７ａとが係合した状態とする（図３参照）。このように相互に係合された第一係合突起２２、２３及び第二係合突起２６、２７で構成される連結固定部２９の外周が前記中間部材６で被覆されているので、前記第一植設基片１１と前記第二植設基片１３とが解除不能に連結固定されたものとなる。なお、前記製作手順は一例を示したものに過ぎず、特にこのような手順で製作されたものに限定されるものではない。
【００４７】
本発明に係る摺洗具１の他の実施形態（第２実施形態）を図７に示す。この摺洗具１は、第一摺洗部材２と、第二摺洗部材３と、連結手段４と、第三摺洗部材５とを備えてなる。
【００４８】
前記第一摺洗部材２は、第一植設基片１１の外周面の一部に複数の繊維束１２が植設されてなる。前記第一植設基片１１は、略半球形状の熱可塑性樹脂成形体からなり、該熱可塑性樹脂成形体の曲面の外周面に複数の植設孔１５が形成され、これら植設孔１５に前記複数の繊維束１２が植設されている（図７参照）。前記第一植設基片１１の断面形状（第三摺洗部材５と対向する側面の側面視での外形形状）は略真円形状である。前記第一植設基片１１の平坦面（第二植設基片１３に対向する面）の中央部に取付孔が形成されている。
【００４９】
前記第二摺洗部材３は、第二植設基片１３の外周面の一部に複数の繊維束１４が植設されてなる。前記第二植設基片１３は、略半球形状の熱可塑性樹脂成形体からなり、該熱可塑性樹脂成形体の曲面の外周面に複数の植設孔１５が形成され、これら植設孔１５に前記複数の繊維束１４が植設されている（図７参照）。前記第二植設基片１３の断面形状（第三摺洗部材５と対向する側面の側面視での外形形状）は略真円形状である。前記第二植設基片１３の平坦面（第一植設基片１１に対向する面）の中央部に取付孔１３ａが形成されている（図７（ロ）参照）。
【００５０】
前記連結手段４は、前記第一植設基片１１と前記第二植設基片１３とを連結するための手段である。前記連結手段４は、少なくとも両端部の外周面に凹凸部５２が設けられた棒状体５１からなる。本実施形態では、前記棒状体５１として、２本の針金が互いに撚り合わされたもの（互いに撚り合わされた２本の針金）が用いられている。従って、本実施形態では、前記連結手段４として、外周面の全体にわたって凹凸部５２が設けられた棒状体５１が用いられている。前記棒状体５１の外径は、前記第二植設基片１３の取付孔１３ａの内径よりも大きい。同様に、前記棒状体５１の外径は、前記第一植設基片１１の取付孔の内径よりも大きい。
【００５１】
前記２条の撚り合わされた針金の間に多数の繊維５３が挟着固定されている。即ち、前記棒状体５１からなる連結手段４の外周面に多数の繊維５３が突設されている（図７参照）。
【００５２】
前記第三摺洗部材５は、略円板状の軟質部材からなる（図７参照）。前記第三摺洗部材５の中央部において厚さ方向に貫通する平面視十字形状の切込み部５ａが形成されている（図７（ロ）参照）。
【００５３】
しかして、図７に示すように、前記棒状体５１の加熱された一端部５１ａが前記第一植設基片１１に刺入されることによって該一端部５１ａと第一植設基片１１とが接合され、前記棒状体５１の他端部５１ｂが前記第三摺洗部材５の十字形状の切込み部５ａに挿通され、さらに前記棒状体５１の加熱された他端部５１ｂが前記第二植設基片１３に刺入されることによって該他端部５１ｂと第二植設基片１３とが接合されて、前記第一植設基片１１と前記第二植設基片１３とが連結固定されている。前記棒状体５１（連結手段４）は、少なくとも両端部の外周面に凹凸部５２が設けられた構成であるから、前記刺入により第一植設基片１１や第二植設基片１３と強固に連結固定される。これにより、前記第一摺洗部材２と前記第二摺洗部材３とが強固に連結固定されている。
【００５４】
前記棒状体５１（連結手段４）の外周は前記第三摺洗部材５により被覆されている。即ち、前記第三摺洗部材５の切込み部５ａ内に前記棒状体５１が挿通されている（図７参照）。この時、前記棒状体５１の外周面に突設された多数の繊維５３が、前記第三摺洗部材５に係合するから（図７（イ）参照）、前記第三摺洗部材５は、前記棒状体５１（連結手段４）により安定状態に支持固定されている。こうして、前記第三摺洗部材５は、前記連結手段４によって互いに連結された第一摺洗部材２と第二摺洗部材３の間に配置されている、即ち第一摺洗部材２の繊維束１２と第二摺洗部材３の繊維束１４の間に配置されている（図７（イ）参照）。
【００５５】
本発明に係る摺洗具１の他の実施形態（第３実施形態）を図８に示す。この摺洗具１は、第一摺洗部材２と、第二摺洗部材３と、連結手段４と、第三摺洗部材５とを備えてなる。前記第一摺洗部材２及び前記第二摺洗部材３の構成は、前記第１実施形態と同様であるので、同一構成部については同一の符号を付してその説明は省略する。
【００５６】
前記連結手段４は、前記第一植設基片１１と前記第二植設基片１３とを連結するための手段である。前記連結手段４は、前記第一植設基片１１に設けられた第一突出部６１と、前記第二植設基片１３に設けられた第二突出部６３と、互いに突き合わされた第一突出部６１及び第二突出部６３を被覆し得る円筒状の管状体６５とを備える。前記管状体６５としては、特に限定されるものではないが、例えばステンレス管等の金属管などが挙げられる。
【００５７】
前記第一突出部６１は、略円柱形状であり、その外周面に第一係合凹部６２が形成されている。本実施形態では、前記第一係合凹部としては、前記第一突出部６１の外周面に周方向に沿って形成された第一係合溝６２が採用されている。
【００５８】
前記第二突出部６３は、略円柱形状であり、その外周面に第二係合凹部６４が形成されている。本実施形態では、前記第二係合凹部としては、前記第二突出部６３の外周面に周方向に沿って形成された第二係合溝６４が採用されている。
【００５９】
前記第一植設基片１１の第一突出部６１の先端の平坦面と前記第二植設基片１３の第二突出部６３の先端の平坦面とが突き合わせ状態に配置され、この相互突き合わせ状態の両突出部６１、６３の外周が前記管状体６５で被覆され、該管状体６５の一端６５ａが前記第一突出部６１の基端の第一係合溝６２内にかしめにより陥入され、前記管状体６５の他端６５ｂが前記第二突出部６３の基端の第二係合溝６４内にかしめにより陥入されることによって、前記第一植設基片１１と前記第二植設基片１３とが強固に連結固定されている（図８参照）。
【００６０】
第三摺洗部材５は、前記管状体６５の外周を被覆する状態に配置されており、このような構成により、前記第三摺洗部材５は、第一摺洗部材２の繊維束１２と第二摺洗部材３の繊維束１４の間に配置されている（図８参照）。
【００６１】
前記第三摺洗部材５の一部は、前記管状体６５の両端部６５ａ、６５ｂのかしめにより前記第一係合溝６２内及び前記第二係合溝６４内に嵌まり込んだ態様となっているので、前記第三摺洗部材５は前記管状体６５に強固に固定されている（図８参照）。
【００６２】
本発明に係る摺洗具１の他の実施形態（第４実施形態）を図９に示す。この摺洗具１は、第一摺洗部材２と、第二摺洗部材３と、連結手段４と、第三摺洗部材５とを備えてなる。前記第一摺洗部材２及び前記第二摺洗部材３の構成は、前記第１実施形態と同様であるので、同一構成部については同一の符号を付してその説明は省略する。
【００６３】
前記連結手段４は、前記第一植設基片１１と前記第二植設基片１３とを連結するための手段である。前記連結手段４は、前記第一植設基片１１の非植設面の中央部に設けられた凹陥部７１と、前記第二植設基片１３の非植設面に設けられた一対の第三係合突起７３、７４とを備える。
【００６４】
前記第一植設基片１１の凹陥部７１の内周面の底側の位置に相互に対向して係止用凹部７２、７２が形成されている。前記第二植設基片１３の一対の第三係合突起７３、７４の先端部にそれぞれ外方に向けて外方突出係止片７３ａ、７４ａが突設されている。
【００６５】
しかして、図９に示すように、前記第一摺洗部材２の第一植設基片１１の凹陥部７１内に、前記第二摺洗部材３の第二植設基片１３の一対の第三係合突起７３、７４が配置され、前記凹陥部７１内の係止用凹部７２、７２に、前記第三係合突起７３、７４の外方突出係止片７３ａ、７４ａがそれぞれ係合されることによって、前記第一植設基片１１と前記第二植設基片１３とが強固に連結固定されている、即ち第一摺洗部材２と第二摺洗部材３とが強固に連結固定されている。
【００６６】
前記第三摺洗部材５の一部は、前記第一植設基片１１と前記第二植設基片１３の間に挟み込み固定されている（図９参照）。このような挟み込み固定により、前記第三摺洗部材５は、前記連結手段４によって互いに連結された第一摺洗部材２と第二摺洗部材３の間に配置されている、即ち第一摺洗部材２の繊維束１２と第二摺洗部材３の繊維束１４の間に配置されている（図９参照）。
【００６７】
本発明に係る摺洗具１の他の実施形態（第５実施形態）を図１０に示す。この摺洗具１は、第一摺洗部材２と、第二摺洗部材３と、連結手段４と、第三摺洗部材５とを備えてなる。前記第一摺洗部材２及び前記第二摺洗部材３の構成は、前記第１実施形態と同様であるので、同一構成部については同一の符号を付してその説明は省略する。
【００６８】
前記連結手段４は、前記第一植設基片１１と前記第二植設基片１３とを連結するための手段である。前記連結手段４は、前記第一植設基片１１の非植設面からその反対側の面に貫通した貫通凹部８１と、前記第二植設基片１３の非植設面に設けられた一対の第四係合突起８３、８４とを備える。
【００６９】
前記第一植設基片１１の貫通凹部８１の内周面に相互に対向して係止用凹部８２、８２が形成されている。前記第二植設基片１３の一対の第四係合突起８３、８４の先端部にそれぞれ外方に向けて外方突出係止片８３ａ、８４ａが突設されている。
【００７０】
しかして、図１０に示すように、前記第一摺洗部材２の第一植設基片１１の貫通凹部８１内に、前記第二摺洗部材３の第二植設基片１３の一対の第四係合突起８３、８４が配置され、前記貫通凹部８１内の係止用凹部８２、８２に、前記第四係合突起８３、８４の外方突出係止片８３ａ、８４ａが係合されることによって、前記第一植設基片１１と前記第二植設基片１３とが強固に連結固定されている、即ち第一摺洗部材２と第二摺洗部材３とが強固に連結固定されている。
【００７１】
前記第三摺洗部材５の一部は、前記第一植設基片１１と前記第二植設基片１３の間に挟み込み固定されている（図１０参照）。このような挟み込み固定により、前記第三摺洗部材５は、前記連結手段４によって互いに連結された第一摺洗部材２と第二摺洗部材３の間に配置されている、即ち第一摺洗部材２の繊維束１２と第二摺洗部材３の繊維束１４の間に配置されている（図１０参照）。
【００７２】
本発明に係る摺洗具１の他の実施形態（第６実施形態）を図１１に示す。この摺洗具１は、第一摺洗部材２と、第二摺洗部材３と、連結手段４と、第三摺洗部材５とを備えてなる。前記第一摺洗部材２及び前記第二摺洗部材３の構成は、前記第１実施形態と同様であるので、同一構成部については同一の符号を付してその説明は省略する。
【００７３】
前記連結手段４は、前記第一植設基片１１と前記第二植設基片１３とを連結するための手段である。前記連結手段４は、前記第一植設基片１１の非植設面の中央部に設けられたねじ孔９１と、前記第二植設基片１３の非植設面に突設されたねじ軸９２とを備える。前記ねじ孔９１の内周面に螺旋状のねじ溝が形成され、前記ねじ軸９２の外周面に螺旋状のねじ山が形成されている。
【００７４】
しかして、図１１に示すように、前記第一摺洗部材２の第一植設基片１１のねじ孔９１内に、前記第二摺洗部材３の第二植設基片１３のねじ軸９２が螺合されることによって、前記第一植設基片１１と前記第二植設基片１３とが強固に連結固定されている、即ち第一摺洗部材２と第二摺洗部材３とが強固に連結固定されている。
【００７５】
前記第三摺洗部材５の一部は、前記第一植設基片１１と前記第二植設基片１３の間に挟み込み固定されている（図１１参照）。このような挟み込み固定により、前記第三摺洗部材５は、前記連結手段４によって互いに連結された第一摺洗部材２と第二摺洗部材３の間に配置されている、即ち第一摺洗部材２の繊維束１２と第二摺洗部材３の繊維束１４の間に配置されている（図１１参照）。
【００７６】
この発明において、前記第三摺洗部材５としては、特に限定されるものではないが、保水性の軟質部材が好適である。保水性の軟質部材を用いる場合には、摺洗時の泡立ち及び泡持ちをより良くさせることができる。前記保水性の軟質部材としては、特に限定されるものではないが、ゴムを含浸させたスポンジ、スポンジ又は布材（不織布、織布、編布等）を用いるのが好ましい。前記スポンジの構成素材としては、特に限定されるものではないが、例えば合成樹脂（ポリウレタン等）、ゴム、天然素材（ヘチマ、海綿等）などが挙げられる。前記保水性の軟質部材として、具体的には、例えばポリウレタン製スポンジ、ナイロン製不織布、ポリエステル製不織布、ナイロンとポリエステル混毛タイプの不織布、ポリウレタン製スポンジからなる軟質シートとナイロン製不織布シートとが貼合されたもの、ポリウレタン製スポンジからなる軟質シートと混毛タイプ（ナイロン、ポリエステル、綿等から任意に組み合わされた混毛タイプ）の不織布シートとが貼合されたもの、アクリル糸で編成された編布、ナイロン製不織布シート等の不織布シートの中にポリウレタン製スポンジを入れたもの、ナイロン製不織布シート等の不織布シートの外にポリウレタン製スポンジを巻き付けたもの、ルースタータイプを縫製しこの中にポリウレタン製スポンジを入れたもの、ガーゼ状のものを複数枚重ねたもの、布（不織布、織布、編布等）を複数枚重ねたもの、綿タオル、ナイロン製タオル、ポリエステル製タオル、マイクロファイバーを用いて作製されたタオル等のタオルを複数枚重ねたもの等が挙げられる。
【００７７】
また、前記第三摺洗部材５としては、ゴム、熱可塑性エラストマー等で形成された非保水性の弾性部材を用いても良い。前記非保水性の弾性部材を用いる場合には、強固に付着した汚れでも掻き落とすことができる。
【００７８】
また、前記第三摺洗部材５としては、非保水性の部材である金属カールたわし（ステンレスカールたわし等）を用いても良い。前記金属カールたわしは、連続螺旋状にカール巻きされた扁平状の金属細線が多層に捲回され絡められたものである。
【００７９】
上記実施形態では、前記第三摺洗部材５として板状のものを用いているが、特にこのような形状に限定されるものではない。
【００８０】
また、上記実施形態では、前記第一植設基片１１及び前記第二植設基片１３として、略球体をその中心点を通る平面で切断した略半球形状のものを用いているが、特にこのような形状に限定されるものではない。
【００８１】
また、上記実施形態では、摺洗具１としては、手で持つための把柄を設けていない構成が採用されているが、例えば図１２に示すように把柄（取っ手）９５を設けた構成を採用してもよい。図１２では、前記第１実施形態の摺洗具１の中間部材６の外周面の一部に把柄９５の一端が取り付けられている。図１２の摺洗具１は、台所用、トイレ用等の摺洗具として好適である。また、把柄９５の一端の取付位置や角度を変えることにより台所用、トイレ用等の摺洗具として好適なものとなる。また、他の第２〜６実施形態の摺洗具１に把柄（取っ手）９５を設けた構成を採用してもよい。
【産業上の利用可能性】
【００８２】
本発明に係る摺洗具は、例えば、鍋、瓶、コップ、ポット、水さし等の容器の内面等を摺洗するのに好適に用いられるが、特にこのような用途に限定されるものではない。
【符号の説明】
【００８３】
１…摺洗具
２…第一摺洗部材
３…第二摺洗部材
４…連結手段
５…第三摺洗部材
６…中間部材
７…貫通孔
１１…第一植設基片
１２…繊維束
１３…第二植設基片
１４…繊維束
２１…第一連結部
２２…第一係合突起
２２ａ…内方突出係止片
２３…第一係合突起
２３ａ…内方突出係止片
２５…第二連結部
２６…第二係合突起
２６ａ…外方突出係止片
２７…第二係合突起
２７ａ…外方突出係止片
５１…棒状体
５１ａ…一端部
５１ｂ…他端部
５２…凹凸部
６１…第一突出部
６２…第一係合凹部
６３…第二突出部
６４…第二係合凹部
６５…管状体
６５ａ…一端
６５ｂ…他端
９５…把柄
【図１】
2011143044.tif 000003
【図２】
2011143044.tif 000004
【図３】
2011143044.tif 000005
【図４】
2011143044.tif 000006
【図５】
2011143044.tif 000007
【図６】
2011143044.tif 000008
【図７】
2011143044.tif 000009
【図８】
2011143044.tif 000010
【図９】
2011143044.tif 000011
【図１０】
2011143044.tif 000012
【図１１】
2011143044.tif 000013
【図１２】
2011143044.tif 000014